(57)【要約】【課題】無線ＬＡＮを利用する場合に、過去に利用した接続可能な場所を提示する。【解決手段】通信装置は、無線ＬＡＮに接続する無線送受信手段３０と、現在位置を示す位置情報を取得する位置情報取得手段３１と、前記無線送受信手段３０で前記無線ＬＡＮに接続可能な場合、前記位置情報取得手段３１によってその場所で取得した位置情報を、前記無線ＬＡＮに接続可能な場所の位置情報として記憶する記憶手段３２と、前記記憶手段３２に記憶されている前記位置情報に基づいて、前記無線ＬＡＮに過去に接続した場所を提示する提示手段３３とを備えている。【選択図】図８
2013183251.tif 000002
【特許請求の範囲】
【請求項１】
無線ＬＡＮに接続する無線送受信手段と、
現在位置を示す位置情報を取得する位置情報取得手段と、
前記無線送受信手段で前記無線ＬＡＮに接続可能な場合、前記位置情報取得手段によってその場所で取得した位置情報を、前記無線ＬＡＮに接続可能な場所の位置情報として記憶する記憶手段と、
前記記憶手段に記憶されている前記位置情報に基づいて、前記無線ＬＡＮに過去に接続した場所を提示する提示手段と
を備えることを特徴とする通信装置。
【請求項２】
前記無線送受信手段で同一無線ＬＡＮのエリア内で、かつ、一定データ量の通信があった場合に、前記位置情報取得手段によってその場所で取得した位置情報を、前記無線ＬＡＮに接続可能な場所の位置情報として前記記憶手段に記憶する制御手段を更に備えることを特徴とする請求項１に記載の通信装置。
【請求項３】
前記提示手段は、
前記記憶手段に記憶されている前記位置情報に基づいて、前記無線ＬＡＮに過去に接続した場所を、地図データ上にアイコンをプロットして表示する
ことを特徴とする請求項１または２に記載の通信装置。
【請求項４】
前記制御手段は、
前記位置情報取得手段によって取得した位置情報を記憶する際に、接続した日付、利用時間、無線ＬＡＮの基地局のアドレス、最大スループットを対応付けて前記記憶手段に記憶する、
ことを特徴とする請求項１から３のいずれかに記載の通信装置。
【請求項５】
前記提示手段は、
前記無線ＬＡＮに過去に接続した場所を、地図データ上にアイコンをプロットして表示する際に、前記接続した日付、前記利用時間、前記無線ＬＡＮの基地局のアドレス、前記最大スループットの少なくとも１つに基づく優先度に従って前記アイコンの表示形態を変える
ことを特徴とする請求項４に記載の通信装置。
【請求項６】
無線ＬＡＮに接続するステップと、
現在位置を示す位置情報を取得するステップと、
前記無線ＬＡＮに接続可能な場合、その場所で取得した位置情報を、前記無線ＬＡＮに接続可能な場所の位置情報として記憶するステップと、
前記記憶されている前記位置情報に基づいて、前記無線ＬＡＮに過去に接続した場所を提示するステップと
を含むことを特徴とする通信利用履歴管理方法。
【請求項７】
通信装置のコンピュータに、
無線ＬＡＮに接続する無線送受信機能、
現在位置を示す位置情報を取得する位置情報取得機能、
前記無線送受信機能で前記無線ＬＡＮに接続可能な場合、前記位置情報取得機能によってその場所で取得した位置情報を、前記無線ＬＡＮに接続可能な場所の位置情報として記憶する制御機能、
前記記憶されている前記位置情報に基づいて、前記無線ＬＡＮに過去に接続した場所を提示する提示機能
を実行させることを特徴とするプログラム。
【発明の詳細な説明】
【技術分野】
【０００１】
本発明は、通信装置、通信利用履歴管理方法、及びプログラムに関する。
【背景技術】
【０００２】
スマートフォンを代表に最近の携帯電話は、携帯電話用の通信回線網を利用せず、比較的安価な利用料で利用できる無線ＬＡＮ（Local Area Network）の通信ネットワークを利用してインターネットを利用する傾向にある。公衆無線ＬＡＮの場合、利用できる利用施設や、店のおおよその場所の情報が通信事業者からパンフレットやインターネットなどで提供されている。
【０００３】
例えば、特許文献１には、携帯電話の電話番号から近傍の利用可能な無線ＬＡＮルータ（無線ＬＡＮアクセスポイント、無線ＬＡＮ親機とも言う）が設置されている、いわゆるホットスポット（登録商標）を検索し、該ホットスポットを地図上にプロットする技術が提案されている。
【０００４】
また、特許文献２には、携帯電話事業者が公衆無線ＬＡＮサービスの利用者に対して、有料の公衆無線ＬＡＮサービスのサービス利用料金を利用者へ請求を行い、利用者より回収したコンテンツ利用料金の中から、公衆無線ＬＡＮサービス事業者に対して料金のキックバックを行う技術が提案されている。
【０００５】
また、特許文献３には、無線ＬＡＮの過去の利用履歴を保存しておき、発信操作があると、まず、無線ＬＡＮの利用履歴に発信先の成功履歴があるか検索し、成功履歴があった場合には、携帯電話網より安価な無線ＬＡＮによる通話を開始する技術が提案されている。
【０００６】
また、特許文献４には、ホットスポットが検知される場合、当該ホットスポットにアクセスして識別情報および使用条件を検索し、識別されたホットスポットを現在のＧＰＳ（Global Positioning System）座標と共にデータベースに格納し、その後、ユーザが特定の地理的位置内のホットスポットを位置決めすることを望む場合、指定されたＧＰＳ座標を有するホットスポットを当該ユーザに提示する技術が提案されている。
【先行技術文献】
【特許文献】
【０００７】
【特許文献１】特開２００４−１８６７２５号公報
【特許文献２】特開２００４−１９２０９８号公報
【特許文献３】特開２００８−１０９１９１号公報
【特許文献４】特表２００９−５２４３１２号公報
【発明の概要】
【発明が解決しようとする課題】
【０００８】
しかしながら、公衆無線ＬＡＮの場合には、利用施設や店を限定する場合が少なく、比較的広範囲なエリアで利用可能であるため、同一の無線ＬＡＮルータのエリア内であっても、良好な通信状態で通信できる場所や、通信品質が劣悪な場所が存在する。つまり、実際には、無線ＬＡＮルータの設置位置や、電波環境による通信品質などの影響により、利用施設や店の中でも、どこのテーブル（座席）だと良好な通信状態で通信できるというように、通信できる範囲や場所が限定される場合がある。
【０００９】
しかしながら、上述した特許文献１〜５による技術を用いたとしても、利用可能な無線ＬＡＮルータが設置されている、いわゆるホットスポットがどこにあるかは分かっても、実際にエリア内のどの場所で通信できるかは、実際に現場に行かないと分からず、その都度、良好な通信状態の場所を探し直す必要があり、手間がかかるという問題がある。
【００１０】
そこで本発明は、無線ＬＡＮを利用する場合に、過去に利用した接続可能な場所を提示することができる携帯端末装置、通信利用履歴管理方法、及びプログラムを提供することを目的とする。
【課題を解決するための手段】
【００１１】
本発明の通信装置は、無線ＬＡＮに接続する無線送受信手段と、現在位置を示す位置情報を取得する位置情報取得手段と、前記無線送受信手段で前記無線ＬＡＮに接続可能な場合、前記位置情報取得手段によってその場所で取得した位置情報を、前記無線ＬＡＮに接続可能な場所の位置情報として記憶する記憶手段と、前記記憶手段に記憶されている前記位置情報に基づいて、前記無線ＬＡＮに過去に接続した場所を提示する提示手段とを備えることを特徴とする通信装置である。
【００１２】
本発明の通信利用履歴管理方法は、無線ＬＡＮに接続するステップと、現在位置を示す位置情報を取得するステップと、前記無線ＬＡＮに接続可能な場合、その場所で取得した位置情報を、前記無線ＬＡＮに接続可能な場所の位置情報として記憶するステップと、前記記憶されている前記位置情報に基づいて、前記無線ＬＡＮに過去に接続した場所を提示するステップとを含むことを特徴とする通信利用履歴管理方法である。
【００１３】
本発明のプログラムは、通信装置のコンピュータに、無線ＬＡＮに接続する無線送受信機能、現在位置を示す位置情報を取得する位置情報取得機能、前記無線送受信機能で前記無線ＬＡＮに接続可能な場合、前記位置情報取得機能によってその場所で取得した位置情報を、前記無線ＬＡＮに接続可能な場所の位置情報として記憶する制御機能、前記記憶されている前記位置情報に基づいて、前記無線ＬＡＮに過去に接続した場所を提示する提示機能を実行させることを特徴とするプログラムである。
【発明の効果】
【００１４】
この発明によれば、無線ＬＡＮを利用する場合に、過去に利用した接続可能な場所を提示することができる。
【図面の簡単な説明】
【００１５】
【図１】本発明の実施形態による通信システムの構成を示すブロック図である。
【図２】本実施形態による携帯電話１０の外観を示す外観図である。
【図３】本実施形態による携帯電話１０の構成を示すブロック図である。
【図４】本実施形態において、ＲＡＭ１０−２０に格納される、無線ＬＡＮ過去利用場所履歴データ２０の一例を示す概念図である。
【図５】本実施形態による携帯電話１０の動作を説明するためのフローチャートである。
【図６】本実施形態による携帯電話１０の動作を説明するためのフローチャートである。
【図７】本実施形態による無線ＬＡＮ利用履歴探索モードでの表示例を示す模式図である。
【図８】付記１の構成を示すブロック図である。
【発明を実施するための形態】
【００１６】
以下、本発明の実施の形態を、図面を参照して説明する。
【００１７】
図１は、本発明の実施形態による通信システムの構成を示すブロック図である。図１において、携帯電話１０は、ＷＣＤＭＡ（Wideband Code Division Multiple Access）、ＬＴＥ（Long Term Evolution）等の通信方式を用いて、携帯電話公衆基地局１１を介して、携帯電話通信網１２に接続し、音声通話やデータ通信を行う。また、携帯電話１０は、無線ＬＡＮ（ＷｉＦｉなど）の通信方式を用いて、無線ＬＡＮルータ（無線ＬＡＮアクセスポイント、無線ＬＡＮ親機とも言われる。また、商業施設などで利用を公開しているものを公衆無線ＬＡＮルータという）１４を介して、インターネット通信網１５に接続してデータ通信を行う。特に、本実施形態では、携帯電話１０は、携帯電話通信網１２上、またはインターネット通信網１５上のデータベース（図示略）から地図データをダウンロードする。また、携帯電話１０は、内蔵されたＧＰＳ受信部（後述）から、複数のＧＰＳ衛星１３からの信号を受信して現在位置を示す位置情報（ＧＰＳデータ；緯度、経度情報）を算出する。
【００１８】
図２（ａ）、（ｂ）、（ｃ）は、本実施形態による携帯電話１０の外観を示す外観図である。携帯電話は、３通信方式でそれぞれ独立して通信を行うため、携帯電話用アンテナ（内蔵）１０−１、ＧＰＳ用アンテナ（内蔵）１０−２、無線ＬＡＮ用アンテナ（内蔵）１０−３を備えている。表示部１０−４は、無線ＬＡＮルータ１４の場所を表示するための地図などを表示する。
【００１９】
操作キー１０−５〜１０−９は、各種指示、選択などを入力するボタンスイッチである。具体的には、操作キー１０−５は、メインメニューなどを呼び出す中央ファンクションキーである。操作キー１０−６は、ＧＰＳアプリケーションを起動する左ファンクションキーである。操作キー１０−７は、右ファンクションキー、表示部１０−４に表示される地図などの移動にも用いられる。また、操作キー１０−８は、カーソルキーであり、例えば、表示部１０−４に表示される地図などの移動を指示する。操作キー１０−９は、数値や文字などを入力するための文字キーである。
【００２０】
図３は、本実施形態による携帯電話１０の構成を示すブロック図である。なお、図２に対応する部分には同一の符号を付けて説明を省略する。送受信部１０−１０は、携帯電話用アンテナ（内蔵）１０−１を用いて、携帯電話公衆基地局１１を介して、携帯電話通信網１２に接続し、音声通話やデータ通信を行うとともに、無線ＬＡＮ用アンテナ（内蔵）１０−３を用いて、インターネット通信網１５に接続してデータ通信を行う。ＧＰＳ受信部１０−１１は、ＧＰＳ用アンテナ（内蔵）１０−２を用いて、ＧＰＳ衛星用人工衛星１３（複数；通常３つ以上）からの信号を受信し、現在の場所を示す位置情報を算出する。通信制御部１０−１２は、送受信部１０−１０、及びＧＰＳ受信部１０−１１の動作を制御する。表示制御部１０−１３は、表示部１０−４への表示を制御する。
【００２１】
音声処理部１０−１４は、音声データをデジタル−アナログ変換や、音声信号のアナログ−デジタル変換などを行う。スピーカ１０−１５は、音声処理部１０−１４からの音声信号を出力する。マイク１０−１６は、入力される音声を音声処理部１０−１４に供給する。制御部１０−１７は、ＲＯＭ１０−１９に記憶されるプログラムを実行し、操作キー部１０−１８からの操作に応じて、各部の動作を制御する。操作キー部１０−１８は、前述した各種操作キー１０−５〜１０−９などに相当する。
【００２２】
ＲＯＭ１０−１９は、上記プログラムや、動作に必要とされる各種パラメータなどを記憶する。ＲＡＭ１０−２０は、上記制御部１０−１７の動作に伴って発生したデータなどを一時的に保存するワーキングエリアとして用いられる。特に、本実施形態では、ＲＡＭ１０−２０には、過去に無線ＬＡＮを利用したときの利用場所の履歴からなる無線ＬＡＮ過去利用場所履歴データ２０（後述）が記憶される。なお、上記ＲＯＭ１０−１９やＲＡＭ１０−２０は、フラッシュメモリ等の書き換え可能な不揮発性メモリであってもよい。
【００２３】
図４は、本実施形態において、ＲＡＭ１０−２０に格納される、無線ＬＡＮ過去利用場所履歴データ２０の一例を示す概念図である。無線ＬＡＮ過去利用場所履歴データ２０は、利用した日時、利用時間、位置情報（ＧＰＳデータ）、無線ＬＡＮルータ（アクセスポイント）のＭＡＣアドレス、最大スループットからなる。制御部１０−１７は、無線ＬＡＮルータを利用する度に、利用した無線ＬＡＮルータに関する上記情報を無線ＬＡＮ過去利用場所履歴データ２０に保存するようになっている。なお、上記位置情報（ＧＰＳデータ）は、無線ＬＡＮルータ自体の位置情報ではなく、無線ＬＡＮルータを利用したときの利用場所の位置情報である。
【００２４】
また、本実施形態では、（１）同一無線ＬＡＮルータ（同一無線ＬＡＮ基地局）エリア内であること、（２）一定データ量の通信があること（単に移動中では無く、ユーザが意識して通信を使用している状態であることを認識する）の２つの条件が満足される場合に、上記無線ＬＡＮ過去利用場所履歴データ２０に登録されるようになっている。これは、公衆無線ＬＡＮルータの設置場所が多い繁華街等で移動中に、ユーザが意識せずに無線ＬＡＮルータとの接続が起きる場合があり、それら全てを過去利用場所履歴データ２０に残すことは無意味であるからである。
【００２５】
また、ユーザが無線ＬＡＮルータの探索モードを選択した場合には、図４に示す無線ＬＡＮ過去利用場所履歴データ２０から、過去に利用した現在位置の近傍の無線ＬＡＮルータを探索し、位置情報（ＧＰＳデータ）に基づいて、該無線ＬＡＮルータを示すアイコンを、地図データ上にプロットして表示するようになっている。このとき、地図上のアイコンは、無線ＬＡＮルータ自体の場所（すなわち、ホットスポット）ではなく、上述したように、無線ＬＡＮルータを利用したときの利用場所を示している。したがって、同一の無線ＬＡＮルータを過去に違う場所で利用している場合も有りうるので、１つの無線ＬＡＮルータに対して、複数の利用場所がアイコンで示される可能性もある。ゆえに、ユーザは、過去に実際に良好な通信条件下で利用した複数の場所から所望する場所を選択することが可能となる。
【００２６】
次に、上述した実施形態の動作について説明する。
図５、及び図６は、本実施形態による携帯電話１０の動作を説明するためのフローチャートである。まず、制御部１０−１７は、アイドル中（待ち受けち中）においてユーザからの指示操作を待つ（ステップＳ１０）。そして、ユーザにより指示操作が行われると、無線ＬＡＮ利用履歴探索モードであるか否かを判定する（ステップＳ１２）。該無線ＬＡＮ利用履歴探索モードとは、現在位置に基づいて、過去に無線ＬＡＮを利用した場所を地図上で確認する動作モードである。
【００２７】
そして、無線ＬＡＮ利用履歴探索モードでなかった場合には（ステップＳ１２のＮＯ）、無線ＬＡＮ通信モードに設定する（ステップＳ１４）。該無線ＬＡＮ通信モードとは、近傍に設置されている無線ＬＡＮルータを介してインターネット通信網１５にアクセスしてデータ通信を行う動作モードである。無線ＬＡＮ通信モードに設定すると、無線ＬＡＮルータの検索を開始し、無線ＬＡＮルータのエリア内であるか否かを判定する（ステップＳ１６）。
【００２８】
そして、無線ＬＡＮルータのエリア内でない場合、すなわち近傍に利用可能な無線ＬＡＮルータがない場合には（ステップＳ１６のＮＯ）、所定の時間、ステップＳ１６を繰り返すことで、無線ＬＡＮルータの検索を継続する。そして、所定の時間探索しても無線ＬＡＮルータが見つからなければ、ステップＳ１０のアイドル中（待ち受け中）に戻るようにしてもよい。
【００２９】
一方、無線ＬＡＮルータのエリア内であった場合には（ステップＳ１６のＹＥＳ）、捕まえた無線ＬＡＮルータを履歴に残すかどうかを判定するため、データ通信量カウンタをリセットする（ステップＳ１８）。次に、データ通信量をカウントし（ステップＳ２０）、データ通信量が一定量に到達したか否かを判定する（ステップＳ２２）。そして、一定量に到達していない場合には（ステップＳ２２のＮＯ）、無線ＬＡＮルータのエリア内であるか否かを判定する（ステップＳ２４）。
【００３０】
そして、無線ＬＡＮルータのエリア内である場合には（ステップＳ２４のＹＥＳ）、ステップＳ２０に戻り、以降、ステップＳ２４で、無線ＬＡＮルータのエリア内かどうかを随時判定しながら、ステップＳ２０でデータ通信量をカウントする。この途中で、無線ＬＡＮルータのエリア外になると（ステップＳ２４のＮＯ）、ステップＳ１６に戻り、再び、接続可能な無線ＬＡＮルータを探索する。
【００３１】
一方、同一無線ＬＡＮルータエリア内でのデータ通信量が一定量に到達すると（ステップＳ２２のＹＥＳ）、ＧＰＳ受信部１０−１１で、ＧＰＳ用アンテナ１０−２を用いて、複数のＧＰＳ衛星用人工衛星１３からの信号を受信し、現在の位置を示す位置情報（ＧＰＳデータ）を算出し（ステップＳ２６）、接続している無線ＬＡＮルータ情報を、過去利用場所履歴データ２０に登録し（ステップＳ２８）、上記位置情報（ＧＰＳデータ）を過去利用場所履歴データ２０に登録する（ステップＳ３０）。次に、無線ＬＡＮによる通信が終了したか否かを判定し（ステップＳ３２）、通信が終了していない場合には（ステップＳ３２のＮＯ）、ステップＳ１６に戻り、無線ＬＡＮルータによる通信、または検索を継続する。
【００３２】
一方、無線ＬＡＮルータによる通信が終了した場合や、図５では、明示していないが、ステップＳ１６で、所定の時間探索しても無線ＬＡＮルータが見つからなければ、ステップＳ１０のアイドル中（待ち受け中）に戻るようにしてもよい。
【００３３】
上記過去利用場所履歴データ２０に登録した位置情報は、無線ＬＡＮルータ設置位置ではなく、例えば、無線ＬＡＮルータが設置された店舗の窓際のテーブルの場所であったり、駅構内の待合室であったり、無線ＬＡＮを実際に利用している場所である。すなわち、通信事業者からパンフレットやインターネットで情報提供されている無線ＬＡＮルータの設置場所とは異なる可能性がある。
【００３４】
前述したように、実際には、無線ＬＡＮルータの設置位置や、電波環境による通信品質などに影響があり、店の中でも、どこのテーブル（座席）が通信に最適であるとかなど、過去に実際に利用した場所を登録しておくことには意味がある。
【００３５】
また、本実施形態では、上述したように、同一無線ＬＡＮルータエリア内でのデータ通信量が一定量に到達すると、接続している無線ＬＡＮルータを、ユーザが実際に通信を実施した無線ＬＡＮルータとして扱うようになっている。例えば、繁華街等では、公衆無線ＬＡＮルータの設置場所が多く、移動中でも各無線ＬＡＮルータとの接続が起きる場合がある。このように、ユーザが意識せずに接続した無線ＬＡＮルータについて、全て過去利用場所履歴データに残すことは無意味である。
【００３６】
そこで、本実施形態では、移動中のユーザが通信を意識していない短時間の接続なのか、ユーザが意識して実際に通信を行うための接続なのかを判定するために、同一無線ＬＡＮルータエリア内でのデータ通信量が一定量に到達したことを契機に、実際に通信を行うための接続であると判定し、該無線ＬＡＮルータを無線ＬＡＮ過去利用場所履歴データ２０として管理する対象にしている。
【００３７】
一方、アイドル中（待ち受けち中）において、ユーザからの指示が無線ＬＡＮ利用履歴探索モードである場合には（ステップＳ１２のＹＥＳ）、ＧＰＳ受信部１０−１１で、ＧＰＳ用アンテナ１０−２を用いて、複数のＧＰＳ衛星１３からの信号を受信し、現在の位置を示す位置情報（ＧＰＳデータ）を算出し（図６のステップＳ４０）、さらに、送受信部１０−１０で、携帯電話通信網１２上、またはインターネット通信網１５上のデータベース（図示略）から、取得した位置情報（ＧＰＳデータ）に基づく現在位置に対応する地図データをダウンロードする（ステップＳ４２）。
【００３８】
次に、無線ＬＡＮ過去利用場所履歴データ２０を検索し、取得した位置情報（ＧＰＳデータ）に基づいて、近傍に位置する無線ＬＡＮルータを探索する（ステップＳ４４）。次に、現在位置を中心とする所定範囲の地図データを表示部１０−４に表示するとともに、該地図データ上に探索した無線ＬＡＮルータのアイコンをプロットする。
【００３９】
図７は、本実施形態による無線ＬＡＮ利用履歴探索モードでの表示例を示す模式図である。携帯電話１０の表示部１０−４には、地図データＭＡＰ上に、近傍に位置する無線ＬＡＮルータを表すアイコンＩＣＯＮ１、ＩＣＯＮ２、ＩＣＯＮ３が表示されている。また、表示部１０−４の下部には、機能ボタンとして、「インフォ」ボタンＢ１、「ＭＥＮＵ」ボタンＢ２、及び「ズーム」ボタンＢ３が表示されている。これら機能ボタンの機能については以下で説明する。
【００４０】
次に、図７に示す表示画面において、制御部１０−１７は、「インフォ」ボタンＢ１が操作されたか否かを判定し（ステップＳ４８）、「インフォ」ボタンＢ１が操作された場合には（ステップＳ４８のＹＥＳ）、現在、地図データＭＡＰ上に表示されている無線ＬＡＮルータについて、無線ＬＡＮ過去利用場所履歴データ２０に記録されている情報（利用した日時、利用時間、位置情報、無線ＬＡＮルータのＭＡＣアドレス、最大スループット）を表示する（ステップＳ５０）。
【００４１】
次に、「インフォ」ボタンＢ１が操作されなかった場合には（ステップＳ４８のＮＯ）、あるいは上記ステップＳ５０の終了後、制御部１０−１７は、「ズーム」ボタンＢ２が操作されたか否かを判定する（ステップＳ５２）。そして、「ズーム」ボタンＢ２が操作された場合には（ステップＳ５２のＹＥＳ）、カーソルキー１０−８の操作に応じて、地図データの拡大／縮小する処理を行うとともに、無線ＬＡＮルータのアイコンの表示を地図データの拡大／縮小に合わせて更新する（ステップＳ５４）。
【００４２】
次に、「ズーム」ボタンＢ２が操作されなかった場合（ステップＳ５２のＮＯ）、あるいは上記ステップＳ５４の終了後、制御部１０−１７は、「ＭＥＮＵ」ボタンＢ３が操作されたか否かを判定する（ステップＳ５６）。そして、「ＭＥＮＵ」ボタンＢ３が操作されなかった場合には（ステップＳ５６のＮＯ）、ステップＳ４０に戻り、上述した処理を繰り返し実行する。
【００４３】
なお、ステップＳ４０に戻って上述した処理を繰り返し実行することにより、ユーザが携帯電話とともに移動している場合でも、ＧＰＳ受信部１０−１１により所定の時間間隔で現在の位置情報を取得しているので、移動に合わせて地図データＭＡＰも更新され、近傍の無線ＬＡＮルータを示すアイコンも更新されることなる。ユーザは、図７に示す表示画面を確認しながら、近傍（所望）の無線ＬＡＮルータの場所（実際には、無線ＬＡＮルータの場所ではなく、過去に該当無線ＬＡＮルータを利用した場所）まで移動すればよい。
【００４４】
また、少し離れた場所や繁華街等で分かりにくい場所には、ＧＰＳナビゲーションアプリケーションと連携することで、現在の場所から近傍の無線ＬＡＮルータの場所まで移動ガイド（ナビゲーション）を利用するようにしてもよい。
【００４５】
次に、図７に示す表示画面において、「ＭＥＮＵ」ボタンＢ３が操作された場合には（ステップＳ５６）、図５に示すステップＳ１０に戻り、上述した処理を繰り返し実行する。すなわち、そのまま、無線ＬＡＮ通信モードに移行すれば、過去に利用した同じ場所で最適な通信を行うことが可能になる。
【００４６】
上述した実施形態によれば、無線ＬＡＮルータ１４に接続した場合、ＧＰＳ通信１３によって取得した位置情報を、当該無線ＬＡＮルータ１４と接続可能な場所の位置情報として無線ＬＡＮ過去利用場所履歴データ２０に記録し、次回の利用時には、記録されている位置情報に基づいて、過去に利用した接続可能な場所を提示することができる。よって、過去に利用した接続可能な場所でより確実に通信を行うことができる。
【００４７】
また、上述した実施形態によれば、同一無線ＬＡＮルータエリア内でのデータ通信量が一定量に到達したことを契機に、該無線ＬＡＮルータを利用した場所の位置情報を無線ＬＡＮ過去利用場所履歴データ２０に記録しておくことで、次回の利用時に過去に良好な通信状況下で利用した場所を提示することができる。この結果、新たに利用場所を探すことなく、良好な通信状況下で通信を行うことができる。
【００４８】
また、上述した実施形態によれば、無線ＬＡＮ過去利用場所履歴データ２０に記録した過去に利用した場所の位置情報を、地図表示アプリケーションを利用して地図上にプロットして表示することで、過去に利用した場所を分かりやすく提示することができる。
【００４９】
また、同一の無線ＬＡＮルータを過去に異なる場所で利用している場合には、１つの無線ＬＡＮルータに対して、複数の利用場所がアイコンで示されるので、ユーザは、過去に良好な通信条件下で利用した複数の場所から、現況に応じて適切な場所や所望する場所を選択することが可能となる。
【００５０】
このとき、少し離れた場所や繁華街等で分かりにくい場所の場合には、ＧＰＳナビゲーションアプリケーションと連携し、現在の場所から利用履歴で選択した前回最適に利用した場所までナビゲートすることで、すばやく目的の場所まで誘導することができる。
【００５１】
また、上述した実施形態において、過去に利用した場所を地図上にプロットする際には、無線ＬＡＮ過去利用場所履歴データ２０に記録されている「日付」に基づいて直近に利用した場所を優先的に表示したり、他より目立つようにアイコンの色を変えたり、点滅させるなど表示形態を変えたりするようにしてもよい。
【００５２】
あるいは、無線ＬＡＮ過去利用場所履歴データ２０に記録されている「利用時間」に基づいて、利用時間が長かった場所を優先的に表示したり、他より目立つようにアイコンの色を変えたり、点滅させるなど表示形態を変えたりするようにしてもよい。
【００５３】
あるいは、無線ＬＡＮ過去利用場所履歴データ２０に記録されている「最大スループット」に基づいて、最大スループットの値が大きい場所を優先的に表示したり、他より目立つようにアイコンの色を変えたり、点滅させるなど表示形態を変えたりするようにしてもよい。
【００５４】
また、本発明の実施形態では、端末装置として携帯電話に適用した例であるが、本発明はこれに限定されるものではなく、無線ＬＡＮを用いる電子機器であれば、携帯電話・スマートフォンに限らず、他の装置（例えば、ゲーム機、タブレットＰＣ（Personal Computer）、ノートＰＣ、ＰＤＡ（Personal Data
Assistants：携帯情報端末））にも適用可能である。
【００５５】
以下、本発明の特徴を付記する。
上記の実施形態の一部又は全部は、以下の付記のようにも記載されうるが、以下には限られない。
図８は、付記１の構成図である。なお、図８に示す送受信手段３０は、図３の送受信部１０−１０に相当し、位置情報取得手段３１は、図３のＧＰＳ受信部１０−１１に相当し、記憶手段３２は、図３のＲＡＭ１０−２０に相当し、提示手段３３は、図３の表示制御部１０−１３、表示部１０−４に相当する。
この図に示すように、付記１記載の発明は、
（付記１）
無線ＬＡＮに接続する無線送受信手段３０と、
現在位置を示す位置情報を取得する位置情報取得手段３１と、
前記無線送受信手段３０で前記無線ＬＡＮに接続可能な場合、前記位置情報取得手段３１によってその場所で取得した位置情報を、前記無線ＬＡＮに接続可能な場所の位置情報として記憶する記憶手段３２と、
前記記憶手段３２に記憶されている前記位置情報に基づいて、前記無線ＬＡＮに過去に接続した場所を提示する提示手段３３と
を備えることを特徴とする通信装置である。
【００５６】
（付記２）
前記無線送受信手段で同一無線ＬＡＮのエリア内で、かつ、一定データ量の通信があった場合に、前記位置情報取得手段によってその場所で取得した位置情報を、前記無線ＬＡＮに接続可能な場所の位置情報として前記記憶手段に記憶する制御手段を更に備えることを特徴とする付記１に記載の通信装置である。
【００５７】
（付記３）
前記提示手段は、前記記憶手段に記憶されている前記位置情報に基づいて、前記無線ＬＡＮに過去に接続した場所を、地図データ上にアイコンをプロットして表示することを特徴とする付記１または２に記載の通信装置である。
【００５８】
（付記４）
前記制御手段は、前記位置情報取得手段によって取得した位置情報を記憶する際に、接続した日付、利用時間、無線ＬＡＮの基地局のアドレス、最大スループットを対応付けて前記記憶手段に記憶する、ことを特徴とする付記１から３のいずれかに記載の通信装置である。
【００５９】
（付記５）
前記提示手段は、前記無線ＬＡＮに過去に接続した場所を、地図データ上にアイコンをプロットして表示する際に、前記接続した日付、前記利用時間、前記無線ＬＡＮの基地局のアドレス、前記最大スループットの少なくとも１つに基づく優先度に従って前記アイコンの表示形態を変えることを特徴とする付記４に記載の通信装置である。
【００６０】
（付記６）
無線ＬＡＮに接続するステップと、現在位置を示す位置情報を取得するステップと、前記無線ＬＡＮに接続可能な場合、その場所で取得した位置情報を、前記無線ＬＡＮに接続可能な場所の位置情報として記憶するステップと、前記記憶されている前記位置情報に基づいて、前記無線ＬＡＮに過去に接続した場所を提示するステップとを含むことを特徴とする通信利用履歴管理方法である。
【００６１】
（付記７）
通信装置のコンピュータに、無線ＬＡＮに接続する無線送受信機能、現在位置を示す位置情報を取得する位置情報取得機能、前記無線送受信機能で前記無線ＬＡＮに接続可能な場合、前記位置情報取得機能によってその場所で取得した位置情報を、前記無線ＬＡＮに接続可能な場所の位置情報として記憶する制御機能、前記記憶されている前記位置情報に基づいて、前記無線ＬＡＮに過去に接続した場所を提示する提示機能を実行させることを特徴とするプログラムである。
【符号の説明】
【００６２】
１０  携帯電話端末
１１  携帯電話公衆基地局
１２  携帯電話通信網
１３  ＧＰＳ用人工衛星
１４  無線ＬＡＮルータ
１５  インターネット通信網
１０−１  携帯電話用アンテナ（内蔵）
１０−２  ＧＰＳ用アンテナ（内蔵）
１０−３  無線ＬＡＮ用アンテナ（内蔵）
１０−４  表示部
１０−５〜１０−９  操作キー
１０−１０  送受信部
１０−１１  ＧＰＳ送受信部
１０−１２  通信制御部
１０−１３  表示制御部
１０−１４  音声処理部
１０−１５  スピーカ
１０−１６  マイク
１０−１７  制御部
１０−１８  操作キー部
１０−１９  ＲＯＭ
１０−２０  ＲＡＭ
【図１】
2013183251.tif 000003
【図２】
2013183251.tif 000004
【図３】
2013183251.tif 000005
【図４】
2013183251.tif 000006
【図５】
2013183251.tif 000007
【図６】
2013183251.tif 000008
【図７】
2013183251.tif 000009
【図８】
2013183251.tif 000010